(57)【要約】【課題】任意の時点における当該画像形成装置に関する初期設定情報を容易に確認することのできる画像形成装置を提供すること。【解決手段】当該画像形成装置の動作に関する各種の設定項目を含む初期設定情報が変更されたときに（Ｓ５のＹｅｓ側），その初期設定情報の変更内容（変更された設定項目だけや，変更前及び変更後の初期設定情報など）と該初期設定情報が変更されたときの日時や累積印字枚数とが関連付けられた変更履歴情報を蓄積して記憶する（Ｓ７）ように構成する。【選択図】図２
2008132637.tif 000002
【特許請求の範囲】
【請求項１】
当該画像形成装置の動作に関する各種の設定項目を含む初期設定情報を記憶する初期設定情報記憶手段と，前記初期設定情報記憶手段に記憶された前記初期設定情報を変更する初期設定情報変更手段と，を備えてなる画像形成装置であって，
前記初期設定情報変更手段による前記初期設定情報の変更内容と該初期設定情報が変更されたときの日時及び／又は累積印字枚数とが関連付けられた変更履歴情報を蓄積して記憶する変更履歴情報記憶手段を備えてなることを特徴とする画像形成装置。
【請求項２】
前記初期設定情報の変更内容が，前記初期設定情報変更手段により変更された一又は複数の前記設定項目，前記初期設定情報変更手段による変更前の前記初期設定情報，及び前記初期設定情報変更手段による変更後の前記初期設定情報のいずれか一又は複数を含んでなる請求項１に記載の画像形成装置。
【請求項３】
前記変更履歴情報記憶手段に記憶された一又は複数の前記変更履歴情報を表示出力する変更履歴情報表示出力手段及び／又は印字出力する変更履歴情報印字出力手段を更に備えてなる請求項１又は２のいずれかに記載の画像形成装置。
【請求項４】
前記変更履歴情報表示出力手段により複数の前記変更履歴情報が表示出力された状態で，所定の操作部を通じた操作入力に従って複数の前記変更履歴情報のいずれか一つを選択する情報選択手段と，
前記初期設定情報記憶手段に記憶された前記初期設定情報を，前記情報選択手段により選択された前記変更履歴情報の状態に復帰させる初期設定情報復帰手段と，を更に備えてなる請求項３に記載の画像形成装置。
【発明の詳細な説明】
【技術分野】
【０００１】
本発明は，プリンタ装置や複写機などの画像形成装置に関し，特に，その画像形成装置における初期設定情報の変更時の利便性を図る技術に関するものである。
【背景技術】
【０００２】
一般に，プリンタ装置や複写機，ファクシミリ装置，複合機などの各種の画像形成装置を使用するユーザは，該画像形成装置の使用に際して，印字枚数や用紙サイズ，用紙種別などの各種の印字条件を設定する。このとき設定される印字条件は一時的なものであり，その印字が終了した場合やリセットボタンが操作された場合には，その印字条件はクリアされる。
一方，前記画像形成装置では，該画像形成装置を使用するたびに設定される前記印字条件とは別に，メンテナンスモード等の特殊な操作によって設定される初期設定情報（デフォルト設定情報）が存在する。この初期設定情報には，前記画像形成装置に関する基本的な設定項目の内容が含まれている。例えば，前記設定項目は，「余白」や「解像度」，「印字濃度」などである。また，前記初期設定情報には，前記画像形成装置の電源投入時や，前記印字条件がクリアされた後に有効となる前記印字条件の初期値も含まれる。
なお，例えば特許文献１には，前記初期設定情報を変更する場合に，直前の初期設定情報からの変更内容を容易に確認することのできる構成や，簡単に直前の初期設定情報に戻すことのできる構成が開示されている。
【特許文献１】特開２００４−３２６６５８号公報
【発明の開示】
【発明が解決しようとする課題】
【０００３】
しかしながら，前記特許文献１では，ユーザは，前記初期設定情報を変更する際に，直前の初期設定情報だけを確認することができるに過ぎず，それよりも前に変更された初期設定情報を確認することはできなかった。特に，不特定多数のユーザによって共用される画像形成装置では，その不特定多数のユーザによって初期設定情報が何度も変更されることがあるため，任意の時点の初期設定情報に戻すことは困難であった。
従って，本発明は上記事情に鑑みてなされたものであり，その目的とするところは，任意の時点における当該画像形成装置に関する初期設定情報を容易に確認することのできる画像形成装置を提供することにある。
【課題を解決するための手段】
【０００４】
上記目的を達成するために本発明は，当該画像形成装置の動作に関する各種の設定項目を含む初期設定情報を記憶する初期設定情報記憶手段と，前記初期設定情報記憶手段に記憶された前記初期設定情報を変更する初期設定情報変更手段と，を備えてなる画像形成装置に適用されるものであって，前記初期設定情報変更手段による前記初期設定情報の変更内容と該初期設定情報が変更されたときの日時や累積印字枚数とが関連付けられた変更履歴情報を蓄積して記憶する変更履歴情報記憶手段を備えてなることを特徴とする画像形成装置。
ここに，前記変更内容には，例えば，前記初期設定情報変更手段により変更された一又は複数の前記設定項目，前記初期設定情報変更手段による変更前の前記初期設定情報，及び前記初期設定情報変更手段による変更後の前記初期設定情報のいずれか一又は複数が含まれる。
本発明によれば，前記変更履歴情報記憶手段に前記変更履歴情報が蓄積されるため，必要に応じて前記変更履歴情報を出力することが可能であり，ユーザは，ある日時やある累積印字枚数などの任意の時点における前記初期設定情報を容易に知得することができる。
【０００５】
具体的には，前記変更履歴情報記憶手段に記憶された一又は複数の前記変更履歴情報を表示出力する変更履歴情報表示出力手段や印字出力する変更履歴情報印字出力手段を備える構成が考えられる。これにより，ユーザは，前記変更履歴情報表示出力手段による表示出力や，前期変更履歴情報印字出力手段による印字出力によって，前記変更履歴情報を容易に知得することができる。
また，前記変更履歴情報表示出力手段により複数の前記変更履歴情報が表示出力された状態で，所定の操作部を通じた操作入力に従って複数の前記変更履歴情報のいずれか一つを選択する情報選択手段と，前記初期設定情報記憶手段に記憶された前記初期設定情報を，前記情報選択手段により選択された前記変更履歴情報の状態に復帰させる初期設定情報復帰手段と，を更に備える構成が考えられる。この場合，ユーザは，前記所定の操作部を通じて任意の前記変更履歴情報を選択することにより，前記初期設定情報記憶手段に記憶された前記初期設定情報を，その選択した前記変更履歴情報の状態に簡単に復帰させることができる。
【発明の効果】
【０００６】
本発明によれば，前記変更履歴情報記憶手段に前記変更履歴情報が蓄積されるため，必要に応じて前記変更履歴情報を表示出力することや印字出力することが可能であり，ユーザは，ある日時やある累積印字枚数などの任意の時点における前記初期設定情報を容易に知得することができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る複写機Ｘの概略構成を示すブロック図，図２は前記複写機Ｘにおいて実行される初期設定情報変更処理の手順の一例を説明するフローチャート，図３は前記複写機Ｘにおいて実行される変更履歴情報出力処理の手順の一例を説明するフローチャート，図４は前記変更履歴情報出力処理による変更履歴情報の印字形態の一例を示す図である。
まず，図１のブロック図を用いて，本発明の実施の形態に係る複写機Ｘの概略構成について説明する。
図１に示すように，前記複写機Ｘは，画像読取部１，画像メモリ２，画像形成部３，記憶部４，操作部５，表示部６，印字カウンタ部７，計時部８及びこれらを統括的に制御する制御部９を備えて概略構成されている。
なお，前記複写機Ｘは，本発明に係る画像形成装置の一例であって，他に，プリンタ装置やファクシミリ装置，複合機なども本発明に係る画像形成装置に該当する。
【０００８】
前記画像読取部１は，不図示の原稿台にセットされた原稿の画像情報を読み取るものであって，ＣＣＤ（Charge Coupled Device）やＣＩＳ（Contact Image Sensor）等のイメージセンサを備えている。前記画像読取部１では，原稿台にセットされた原稿を走査することにより，前記原稿の画像がライン毎に読み取られて，デジタルデータ化される。このように読み取られた画像データは図示しない画像処理部において所定の画像処理（圧縮処理，濃度補正処理等）が実行され，その後，前記制御部９によって前記画像メモリ２に一時的に記憶される。
前記画像メモリ２は，ＥＥＰＲＯＭなどの読み書き可能な不揮発性半導体メモリである。この画像メモリ２には，前記画像読取部１で読み取られた画像データ等が一時的に格納される。また，前記複写機ＸがＬＡＮ等のネットワークを介してパソコン等の情報処理装置と接続可能なものである場合は，その情報処理装置から転送された画像データも前記画像メモリ２に格納される。
前記画像形成部３は，前記画像メモリ２に格納された画像データに応じた可視像（例えばトナー像）を記録紙に転写させて定着させるものであり，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置などの周知の各種装置を備えて構成されている。
【０００９】
前記記憶部４（初期設定情報記憶手段及び変更履歴記憶手段の一例）は，内部の情報が変更可能な不揮発性半導体メモリやＨＤＤ等で構成されており，前記複写機Ｘにおける各種の初期設定情報を記憶する初期設定情報記憶領域４１と，後述の変更履歴情報を記憶する変更履歴情報記憶領域４２とを有している。なお，前記初期設定情報記憶領域４１には，前記初期設定情報を一つ記憶することができる程度の記憶容量が確保され，前記変更履歴情報記憶領域４２には，後述の変更履歴情報を複数記憶することができる記憶容量が確保されている。
前記複写機Ｘは，前記記憶部４の前記初期設定情報記憶領域４１に記憶された前記初期設定情報に従って前記制御部９によって制御される。
具体的に，前記初期設定情報とは，例えば「上マージン（余白）」，「左マージン」，「ページ長」，「ページ幅」，「印刷の向き」，「起動時のフォント番号」，「ＰＣＬのフォント選択環境スイッチ」，「インターフェースタイムアウト時間」，「エミュレーションの自動改行モードのパラメータ設定」，「横方向オフセット」，「縦方向オフセット」，「起動時漢字フォント番号」，「国内、新旧ＪＩＳコード切り替えスイッチ」，「パラレルＩ／Ｆにおけるインタフェースモードを設定するためのパラメータ」，「パラレルＩ／ＦのＢｕｓｙ−Ａｃｋタイミング」，「パラレルＩ／Ｆエラー制御」，「起動時エミュレーション」，「エミュレーション制御コード<<ＣＲ>>動作モードのパラメータ設定」，「エミュレーション制御コード<<ＬＦ>>動作モードのパラメータ設定」，「エミュレーションモード」，「ＡＮＫフォントスイッチ」，「行間隔」，「文字間隔」，「国別コード」，「シンボルセット」，「起動時ＡＮＫフォントサイズ」，「起動時ＡＮＫフォント名」，「起動時漢字サイズ」，「起動時漢字フォント名」，「起動時解像度」，「起動時排紙トレイ」，「ブザー」，「用紙サイズエラー」，「印字濃度」，「受信バッファサイズ」，「タイムアウト時間」，「拡大縮小」，「ステータス送信制御」，「起動時インターフェース」，「バッファサイズオプション」，「バッファサイズ比率」，「ＫＩＲモード」，「スリープタイマ」，「エコプリントモード」，「解像度」，「リソース保護」，「コマンド認識文字」，「ユニバーサル用紙サイズ」，「オートカセットモード」，「起動時用紙サイズ」，「起動時カセット」，「ページ保護モード」，「ＭＰトレイサイズ」，「Ａ４／レター共通」，「ホストバッファサイズレート」，「ＲＡＭディスクサイズ」，「ＲＡＭディスクモード」，「ＭＰトレイモード」，「ワイドＡ４」，「起動時ステータスプリント」，「Ｃｏｕｒｉｅｒ／ＬｅｔｔｅｒＧｏｔｈｉｃ」，「ＰＣＬカセットモード」，「自動継続モード」，「自動継続タイマー」などである。もちろん，前記初期設定情報はこれに限られるものではない。
【００１０】
前記操作部５は，前記複写機Ｘにおける印字条件の設定や，前記複写機Ｘに関する各種の初期設定情報の変更などに関するユーザ操作が行われるものであり，例えば，タッチパネルやテンキーなどを備えている。なお，前記タッチパネルは，前記表示部６の表示画面上に具現される。ここに，前記印字条件とは，例えば印字枚数や用紙サイズ，拡大・縮小など，一時的に設定される項目であって，前記操作部５に設けられたリセットキー等によってリセットされるものである。
前記表示部６は，前記複写機Ｘにおける印字条件の設定や，前記複写機Ｘに関する各種の初期設定情報の変更などに関する情報を表示する液晶ディスプレイパネル（ＬＣＤ）などで構成されている。
【００１１】
前記印字カウンタ部７は，当該複写機Ｘにおける印字枚数をカウントするものであって，そのカウント値は当該複写機Ｘにおける累積印字枚数を示している。前記印字カウンタ部７によりカウントされた当該複写機Ｘの累積印字枚数は，ユーザやサービスマン等によって参照されると共に，前記累積印字枚数のデータとして前記制御部９によって参照される。
また，前記計時部８は，現在日時を計時する時計機能を有しており，該計時部８の時計機能により計時された現在日時のデータは，前記制御部９によって参照される。
前記制御部９は，ＣＰＵ９１やＲＯＭ９２，ＲＡＭ９３等からなり，前記ＣＰＵ９１が前記ＲＯＭ９２に格納された制御プログラムに従った処理を実行することにより当該複写機Ｘを統括的に制御するものである。具体的に，前記制御部９は，後述の初期設定情報変更処理（図２のフローチャート参照）を実行することにより，前記記憶部４の前記初期設定情報記憶領域４１に記憶された前記初期設定情報を変更する。ここに，かかる変更処理を実行するときの前記制御部４が初期設定情報変更手段に相当する。
また，前記制御部９は，後述の変更履歴情報出力処理（図３のフローチャート参照）を実行することにより，前記記憶部４の前記変更履歴情報記憶領域４２に記憶された変更履歴情報の表示・印字出力を行う。
【００１２】
まず，図２のフローチャートを用いて，前記複写機Ｘにおいて前記制御部９によって実行される初期設定情報変更処理の手順の一例について説明し，次に，図３のフローチャートを用いて，前記制御部９によって実行される変更履歴情報出力処理の手順の一例について説明する。なお，以下，Ｓ１，Ｓ２，…は処理手順（ステップ）番号を表す。
［ステップＳ１〜Ｓ３］
まず，ステップＳ１では，ユーザによって前記操作部５に前記初期設定情報の変更を開始するための操作が行われたか否かが前記制御部９によって判断される。ここで，前記初期設定情報の変更開始操作が行われたと判断されると（Ｓ１のＹｅｓ側），処理はステップＳ２に移行する。なお，かかる判断処理（Ｓ１）は，前記初期設定情報の変更開始操作が行われるまで繰り返し行われる（Ｓ１のＮｏ側）。
ステップＳ２では，前記制御部９によって，前記記憶部４の前記初期設定情報記憶領域４１に記憶された前記初期設定情報が前記制御部９のＲＡＭ９３に展開されると共に，該初期設定情報が前記表示部６に表示される。
そして，ステップＳ３では，ユーザによる前記操作部５の操作に応じて前記制御部９のＲＡＭ９３に展開された前記初期設定情報が変更される。
【００１３】
［ステップＳ４〜Ｓ５］
その後，ステップＳ４では，ユーザによって前記操作部５に前記初期設定情報の変更を確定して終了するための操作が行われたか否かが前記制御部９によって判断される。ここで，前記初期設定情報の変更終了操作が行われたと判断されると（Ｓ４のＹｅｓ側），処理はステップＳ５に移行する。なお，かかる判断処理（Ｓ４）は，前記初期設定情報の変更終了操作が行われるまで繰り返し行われる（Ｓ４のＮｏ側）。
ステップＳ５では，前記制御部９が，前記記憶部４の前記初期設定情報記憶領域４１に記憶された前記初期設定情報と，前記制御部９のＲＡＭ９３に展開された前記初期設定情報とを比較することにより，前記初期設定情報の変更の有無を判定する。ここで，前記初期設定情報に変更があったと判断されると（Ｓ５のＹｅｓ側），処理はステップＳ６に移行し，変更がないと判断された場合には（Ｓ５のＮｏ側），処理は前記ステップＳ１に戻る。
【００１４】
［ステップＳ６］
ステップＳ６では，前記制御部９によって，前記初期設定情報の変更内容と，前記印字カウンタ部７によりカウントされた前記累積印字枚数と，前記計時部８により計時された現在日時と，を関連付けた変更履歴情報が生成される。
ここに，前記初期設定情報の変更内容としては，今回変更された設定項目だけであってもよいし，変更前の初期設定情報及び変更後の初期設定情報の全てであってもよい。要するに，前記初期設定情報の変更箇所や内容を示す情報であればよい。但し，前記記憶部４の記憶領域には限界があるため，今回変更された設定項目だけを前記初期設定情報の変更内容とすることで，前記変更履歴情報のデータ量をできるだけ小さくすることが望ましい。
また，前記累積印字枚数や前記現在日時は，前記初期設定情報が変更された時点を特定するための情報であって，そのいずれか一方だけを前記変更履歴情報に含めてもよい。例えば前記計時部８を有していない画像形成装置では，前記累計印字枚数と前記初期設定情報の変更内容とが関連付けられた変更履歴情報が生成される。
【００１５】
［ステップＳ７，Ｓ８］
そして，ステップＳ７では，前記ステップＳ６で生成された前記変更履歴情報が，前記制御部９によって前記記憶部４の前記変更履歴情報記憶領域４２に蓄積記憶される。
このように，前記複写機Ｘでは，前記初期設定情報の変更が行われるたびに，前記変更履歴情報が，前記記憶部４の変更履歴情報記憶領域４２に蓄積記憶される。ここに，かかる記憶処理を実行するときの前記制御部９及び前記記憶部４が変更履歴情報記憶手段に相当する。
このとき，前記記憶部４の前記変更履歴情報記憶領域４２の容量が飽和している場合には，最も古い前記変更履歴情報から順に消去され，新しい前記変更履歴情報が記憶される。
その後，ステップＳ８では，前記制御部９によって，前記ＲＡＭ９３に展開されている前記初期設定情報が前記記憶部４の前記初期設定情報記憶領域４１に記憶され，当該初期設定情報変更処理は終了する。即ち，前記初期設定情報記憶領域４１内の初期設定情報が更新（上書き）される。これにより，その後，前記複写機Ｘは，前記初期設定情報記憶領域４１に記憶された変更後の前記初期設定情報に従って前記制御部９によって制御される。
【００１６】
以上説明したように，前記複写機Ｘでは，前記制御部９によって前記初期設定情報変更処理（図２のフローチャート参照）が実行されることにより，前記初期設定情報の変更履歴情報が蓄積される。そして，前記記憶部４の前記変更履歴情報記憶部４２に記憶された前記変更履歴情報は，前記制御部９によって後述の変更履歴情報出力処理が実行されることにより，前記表示部６に表示され，或いは前記画像形成部３によって印字出力される。
以下，図３のフローチャートを用いて，前記制御部９によって実行される変更履歴情報出力処理の手順の一例について説明する。なお，以下，Ｓ１１，Ｓ１２，…は処理手順（ステップ）番号を表す。
【００１７】
［ステップＳ１１，Ｓ１２］
まず，ステップＳ１１では，ユーザによって前記操作部５に初期設定情報の変更履歴情報を表示するための操作が行われたか否かが前記制御部９によって判断される。ここで，前記変更履歴情報の表示開始操作が行われたと判断されると（Ｓ１１のＹｅｓ側），処理はステップＳ１２に移行する。なお，かかる判断処理（Ｓ１１）は，前記変更履歴情報の表示開始操作が行われるまで繰り返し行われる（Ｓ１１のＮｏ側）。
ステップＳ１２では，前記制御部９によって，前記記憶部４の前記変更履歴情報記憶領域４２に記憶された前記変更履歴情報が前記表示部６に出力され，該表示部６に表示される。ここに，かかる表示出力処理を実行するときの前記制御部９が変更履歴情報表示出力手段に相当する。このとき，前記変更履歴情報の表示形態としては，例えば前記変更履歴情報を時系列順（日時順や累積印字枚数順など）に並べてリスト表示することや，前記初期設定情報に含まれた設定項目ごとに並べてリスト表示すること等が考えられる。また，前記変更履歴情報の表示形態は，ユーザによる前記操作部５への操作入力に応じて前記制御部９によって変更可能である。なお，前記変更履歴情報は多量のデータとなるため，前記表示部６の表示をスクロール可能としておくことが望ましいことはいうまでもない。
【００１８】
［ステップＳ１３，Ｓ１４］
その後，ステップＳ１３では，ユーザによる前記操作部５への操作入力により，前記表示部６に表示された前記変更履歴情報のいずれかが選択されたか否かが前記制御部９によって判断される。ここで，前記変更履歴情報のいずれかが選択されたと判断されると（Ｓ１３のＹｅｓ側），処理はステップＳ１４に移行し，選択されていないと判断されると（Ｓ１３のＮｏ側），処理はステップＳ１５に移行する。
ステップＳ１４では，前記制御部９によって，前記ステップＳ１３で選択された前記変更履歴情報の詳細内容が前記表示部６に出力され，該表示部６に表示される。例えば，前記変更履歴情報に含まれた前記初期設定情報の各設定項目が表示される。
また，このとき，前記制御部９が，前記変更履歴情報に含まれた前記初期設定情報と，前記複写機Ｘの現在の前記初期設定情報，即ち前記記憶部４の前記初期設定情報記憶領域４１に記憶された前記初期設定情報とを比較して，それらの異なる部分を強調して表示することが他の実施例として考えられる。たとえば，その異なる部分を反転表示や点滅表示，異色表示させることが考えられる。これにより，ユーザは，現在と過去の前記初期設定情報の違いを容易に確認することができる。
【００１９】
［ステップＳ１５，Ｓ１６］
そして，続くステップＳ１５では，ユーザによって前記操作部５に前記変更履歴情報を印字出力するための操作が行われたか否かが前記制御部９によって判断される。ここで，前記変更履歴情報の印字出力操作が行われたと判断されると（Ｓ１５のＹｅｓ側），処理はステップＳ１６に移行し，前記変更履歴情報の印字出力操作が行われていないと判断されると（Ｓ１５のＮｏ側），処理はステップＳ１７に移行する。
ステップＳ１６では，前記制御部９によって，前記変更履歴情報が前記画像メモリ２に送信されることにより，前記画像形成部３によって前記変更履歴情報が印字出力される。ここに，かかる印字出力処理を実行するときの前記制御部９が変更履歴情報印字出力手段に相当する。具体的には，前記ステップＳ１３で変更履歴情報が選択されていればその変更履歴情報が印字され（図４（ａ）参照），前記ステップＳ１３で変更履歴情報が選択されていない場合には，前記変更履歴情報のリストなどが印字される（図４（ｂ）参照）。
また，本実施の形態では，前記変更履歴情報の表示を行った後に該変更履歴情報の印字出力が実行される場合を例に挙げて説明したが，前記変更履歴情報の表示を行うことなく，該変更履歴情報を印字出力することのできる構成も他の実施例として考えられる。
【００２０】
［ステップＳ１７，Ｓ１８］
一方，ステップＳ１７では，ユーザによって前記操作部５に前記変更履歴情報の表示を終了するための操作が行われたか否かが前記制御部９によって判断される。ここで，前記変更履歴情報の表示終了操作が行われたと判断されると（Ｓ１７のＹｅｓ側），処理はステップＳ１８に移行し，前記変更履歴情報の表示終了操作が行われていないと判断されると（Ｓ１７のＮｏ側），処理はステップＳ１３に移行する。
ステップＳ１８では，前記表示部６による前記変更履歴情報の表示が前記制御部９によって消去され，処理は前記ステップＳ１１に戻る。
【００２１】
以上，説明したように，前記複写機Ｘでは，前記制御部９によって前記初期設定情報変更処理が実行されることにより前記記憶部４の前記変更履歴情報記憶領域４２に蓄積された前記変更履歴情報を表示させることや印字出力することが可能である。
したがって，ユーザは，例えば前記複写機Ｘの前記初期設定情報を変更するときなどに，過去の変更履歴を参照することができるため，前記複写機Ｘの状態を容易に過去の状態に戻すことができる。
しかも，前記変更履歴情報には，その変更が行われた日時や，累積印字枚数などが関連付けられているため，ユーザは前記変更履歴情報各々がいつぐらいに変更された前記初期設定情報に関するものであるかをも容易に確認することができる。
【００２２】
ところで，前記複写機Ｘにおいて長時間継続して設定されていた前記初期設定情報は，該複写機Ｘを使用するユーザにとって良好なものであった可能性が高い。そこで，前記ステップＳ１２で表示される前記変更履歴情報や前記ステップＳ１６で印字出力される前記変更履歴情報に，該変更履歴情報各々の前記初期設定情報が設定された状態が継続された時間や印字枚数を含めることも他の実施例として考えられる。具体的に，この時間や印字枚数は，前記制御部９が，前後の前記変更履歴情報における日時や累積印字枚数の差を演算することにより求めることが可能である。
【００２３】
また，前記複写機Ｘがユーザを認識することのできる構成であれば，前記変更履歴情報にその変更を行ったときのユーザ名などを含めることが他の実施例として考えられる。例えば，前記複写機Ｘの使用開始時に，ユーザＩＤやパスワードの入力操作や，ユーザ固有のＩＤカードの読取操作が行われる構成に適用可能である。これにより，ユーザは，前記変更履歴情報を参照することにより，その変更履歴情報各々が誰によって変更されたものであるかを容易に確認することができる。例えば，自分が変更した過去の履歴だけを容易に検索して表示や印字出力させることができる。
【００２４】
さらに，前記変更履歴情報出力処理において前記変更履歴情報が表示されている状態で，ユーザによる前記操作部５を通じた操作入力に従って前記変更履歴情報のいずれか一つが前記制御部９によって選択された後，該変更履歴情報の初期設定情報に戻すための操作が行われた場合に，前記制御部９が，前記記憶部４の前記初期設定情報記憶領域４１の初期設定情報を，前記変更履歴情報の初期設定情報に自動的に戻すように処理することも他の実施例として考えられる。これにより，ユーザは，簡単に前記初期設定情報を過去の状態に戻すことができる。ここに，かかる処理を実行するときの前記制御部９が，情報選択手段及び初期設定情報復帰手段に相当する。
【図面の簡単な説明】
【００２５】
【図１】本発明の実施の形態に係る複写機の概略構成を示すブロック図。
【図２】本発明の実施の形態に係る複写機において実行される初期設定情報変更処理の手順の一例を説明するフローチャート。
【図３】本発明の実施の形態に係る複写機において実行される変更履歴情報出力処理の手順の一例を説明するフローチャート。
【図４】本発明の実施の形態に係る複写機において実行される変更履歴情報出力処理による変更履歴情報の印字形態の一例を示す図。
【符号の説明】
【００２６】
Ｘ…複写機（画像形成装置の一例）
１…画像読取部
２…画像メモリ
３…画像形成部
４…記憶部
４１…初期設定情報記憶領域
４２…変更履歴情報記憶領域
５…操作部
６…表示部
７…印字カウンタ部
８…計時部
９…制御部
Ｓ１，Ｓ２，〜…処理手順（ステップ）番号
【図１】
2008132637.tif 000003
【図２】
2008132637.tif 000004
【図３】
2008132637.tif 000005
【図４】
2008132637.tif 000006